(57)【要約】【課題】  プレーヤの負担を増やすことなく、競技データの簡単な記録及び迅速で正確な入力処理が可能なゴルフ用スコアカードを提供し、競技データの集計、ハンディキャップの計算等を自動処理して一元的に管理できるゴルフスコア管理システムを提供する。【解決手段】  スコアカード２は、ＯＭＲで読み取られる縦に太い実線を記入して１０位の数値を記録する左側領域８ａと、ＯＣＲで読み取られる１位の数値を記入するための右側領域８ｂとを隣接して配置したホールスコア記入欄８を有する。スコアカードの競技データは光学式読取手段３で読み取られ、スコア入力処理手段４で表示しかつ修正入力した後、演算処理手段５で集計、ハンディキャップ計算などの処理がされ、記憶手段７に格納して管理される。【選択図】  図２
2007097681.tif 000002
【特許請求の範囲】
【請求項１】
ホール毎にプレーヤのホールスコアを記録するためのホールスコア記入欄を有し、前記ホールスコア記入欄が、ＯＭＲで読み取られる縦に太い実線を記入して１０位の数値を記録するための左側領域、及びＯＣＲで読み取られる１位の数値を記入するための右側領域を有し、前記左側領域と前記右側領域とが隣接して配置されていることを特徴とするゴルフ用スコアカード。
【請求項２】
前記プレーヤの１ラウンドのグロススコアを記録するためのグロススコア記入欄を更に有し、前記グロススコア記入欄が、ＯＭＲで読み取られる縦に太い実線を記入して１００位の数値を記録するための左側領域、ＯＣＲで読み取られる１０位の数値を記入するための中央領域、及びＯＣＲで読み取られる１位の数値を記入するための右側領域からなり、前記グロススコア記入欄の前記左側領域と前記中央領域と前記右側領域とが隣接して配置されていることを特徴とする請求項１に記載のゴルフ用スコアカード。
【請求項３】
前記プレーヤのハンディキャップを記録するためのハンディキャップ記入欄とグロススコアからハンディキャップを差し引いたネットスコアを記入するためのネットスコア記入欄とを更に有し、前記ハンディキャップ記入欄が、ＯＣＲで読み取られる１０位の数値を記入するための左側領域、ＯＣＲで読み取られる１位の数値を記入するための中央領域、及び小数点以下１位の数値を記入するための右側領域からなり、かつ前記ハンディキャップ記入欄の前記左側領域と前記中央領域と前記右側領域とが隣接して配置され、前記ネットスコア記入欄が、ＯＭＲで読み取られる縦に太い実線を記入して１００位の数値を記録するための左端領域、ＯＣＲで読み取られる１０位の数値を記入するための中央左側領域、ＯＣＲで読み取られる１位の数値を記入するための中央右側領域、及び小数点以下１位の数値を記入するための右端領域からなり、かつ前記ネットスコア記入欄の前記左端領域と前記中央左側領域と前記中央右側領域と前記右端領域とが隣接して配置されていることを特徴とする請求項２に記載のゴルフ用スコアカード。
【請求項４】
請求項１乃至３のいずれかに記載のゴルフ用スコアカードから競技データを読み取るための光学式読取手段と、読み取った前記競技データを表示しかつ修正入力して送信するためのスコア入力処理手段と、前記スコア入力処理手段から送信された前記競技データを処理するための演算処理手段と、前記競技データ及び前記演算処理手段による処理結果を記憶するための記憶手段とを備え、前記演算処理手段が、前記スコアカードから読み取った前記競技データと前記記憶手段に格納されている過去の競技データとを用いてハンディキャップを計算する機能を有することを特徴とするゴルフスコア管理システム。
【請求項５】
前記スコア入力処理手段と前記演算処理手段とがネットワークを介して接続されていることを特徴とする請求項４に記載のゴルフスコア管理システム。
【請求項６】
それぞれに前記光学式読取手段及び前記スコア入力処理手段を有する複数のゴルフ場端末装置と、前記演算処理手段及び前記記憶手段を有しかつネットワークを介して前記複数のゴルフ場端末装置に接続された管理者サーバ装置とを備えることを特徴とする請求項４に記載のゴルフスコア管理システム。
【発明の詳細な説明】
【技術分野】
【０００１】
本発明は、ゴルフの競技データを記録するためのスコアカード、及びスコアカードからゴルフプレーヤの競技データを入力、処理、集計及び／又は管理し、かつハンディキャップを更新処理するための総合的なゴルフスコア管理システムに関する。
【背景技術】
【０００２】
一般にゴルフ競技では、スコアカードにきろくされたホール毎のスコア、合計のスコアなどをプレーヤ及びマーカーが確認して署名した後、ゴルフ場に提出する。ゴルフ場では、提出されたスコアカードに記録された競技データを処理し、それを記録管理したり新たなハンディキャップを査定する。多くの場合、ハンディキャップの査定は、（財）日本ゴルフ協会（以下、ＪＧＡという）のハンディキャップ規定に従って計算される。
【０００３】
スコアカードは、ホール毎のスコアを競技中に鉛筆などの筆記具で書き込むため、その手間を軽減し、後で読み易くするために、従来から様々な工夫がなされている。例えば、ホール毎の競技打数表示欄にスコアを記載する領域を設け、かつ予めホール毎にその基準打数に応じた所定の数字を表示し、ギブアップしたホールではスコアに該当する数字に印を付けるという単純な作業でスコアを記録でき、読み易くかつ誤記し難くしたゴルフのスコアカードが知られている（例えば、特許文献１を参照）。
【０００４】
また、数字で記入したスコアなどのデータをスコアカードから目視で読み取りかつ手入力するために、多くの労力を必要としかつ読み取りや入力の操作ミスによる誤りが発生し易い従来のスコアカードの読取入力作業を自動化するために、複数のマークボックスを各ホールに対応して設け、これを筆記具でマークして記録するゴルフ用スコアカードと、該スコアカードから各ホールの打数を光学的に読み取り、電気的に演算処理して集計しかつ印刷することにより、ゴルフのスコア集計作業を容易かつ短時間でできるようにしたゴルフのスコア集計方法が知られている（例えば、特許文献２を参照）。
【０００５】
同様に、従来競技終了後に参加者全員のスコアカードを集めて全て手作業で行っていた集計作業を自動化して省力化するために、マークシート用紙に書き込まれた情報を読み取るマークシートリーダと、読み取った情報を処理する演算処理装置と、演算結果を印刷するためのフォーム情報を記憶するソフトカードなどのフォームメモリと、演算結果に対応する文字情報を発生する文字情報発生手段と、発生した文字情報とフォーム情報とを合成して印刷出力する印字制御手段とから構成され、データ入力からフォーム用紙に集計結果を印刷出力するまでの全作業を簡単な操作で自動的に実行できる印字装置が提案されている（例えば、特許文献３を参照）。
【０００６】
また、個人識別バーコードが付されたカードと、署名簿にサインされた氏名をイメージで読み込むＯＣＲと、複数のオンライン端末と、この端末に接続され、バーコード及び商品に付された商品バーコードを読み込むためのバーコードリーダと、オフライン端末と、このオフライン端末と接続され、カードに光学的に情報を書き込むためのカードリード／ライト器と、オンライン端末及びオフライン端末の共通のデータを管理するためのホストコンピュータとからなり、ＯＣＲでスコアカードのデータを読み取り、スコア及び順位の集計をホストコンピュータ又はオンライン端末で行うことにより、入力作業を省力化し、入力・計算ミスを防止したゴルフ場総合管理システムが知られている（例えば、特許文献４を参照）。
【０００７】
また、競技者が携帯するＩＤスコアカードを各ホール毎にクライアント装置に挿入してスコアデータの入力及び印字を行い、入力されたデータをループ型ＬＡＮを介してサーバ装置内のデータベースに収集し、全競技者のスコア収集後にサーバ装置から集計結果を出力できるようにし、スコアデータの入力作業に専任のデータ入力作業者を必要とせずに、データ入力／集計作業を容易化、迅速化し、競技終了後に直ちに成績集計表を提供できるようにしたゴルフデータ管理システムが提案されている（特許文献５を参照）。
【０００８】
更に、ゴルフ場側端末装置と競技者側端末装置と本部サーバ装置即ちホストコンピュターサーバとをネットワークで接続し、競技終了後に競技者が競技者情報と共にスコア情報を専用スコアカードに記入してゴルフ場に提出し、該スコアカードに記入された情報をゴルフ場側端末装置に表示された専用の入力画面から本部側サーバ装置に送信し、これを本部側サーバ装置が一元的に記憶管理するとともに、各端末から要求があった場合に、所定のデータ処理によりＷｅｂページ用ファイルに生成してインターネット経由で配信することによって、競技者が面倒な手間を掛けずにプレイ情報を記録管理でき、同一条件下で統計的データに基づく詳細かつ的確な比較情報を入手できるようにしたゴルフ情報管理配信システムが知られている（特許文献６を参照）。
【０００９】
【特許文献１】特開２００３−３１２１６６号公報
【特許文献２】特開平５−１１５５８７号公報
【特許文献３】特開平７−６８８９２号公報
【特許文献４】特開平６−３１８２１７号公報
【特許文献５】特開平９−１４０８４４号公報
【特許文献６】特開２００４−７８４９２号公報
【発明の開示】
【発明が解決しようとする課題】
【００１０】
しかしながら、スコアカードに記録された競技データを手作業で確認しかつ入力する従来の処理方法は、従来技術に関連して上述したように、ゴルフ場にとって大きな負担となっている。特にハンディキャップの計算は複雑かつ面倒であり、多数のスコアカードを短時間で処理することは困難である。また、ハンディキャップの取扱い及び管理は、ゴルフ場によって異なり、相互に十分に連携して管理されているとは言い難い現状である。
【００１１】
上記特許文献２に記載されるようなマークシート式のスコアカードは、各ホール及び合計のスコアを筆記具で書き込むための欄に加えて、各ホールのスコアを光学的に読み取って集計するためにそれぞれ［０］〜［９］及び［＋１０］に対応するマークボックスと、１ラウンドのグロススコアを照合するためにその１位の数値を記録する［０］〜［９］のマークボックスとが予め印刷されている。そのため、スコアカードが従来のものに比べて必要以上に大きくなり、扱い難くなるという問題がある。更に、プレーヤは各ホールの打数を記録するために、従来と同じ記入欄に数値を書き込み、かつマークボックスに縦線を記入するという、二重手間を強いられることになる。
【００１２】
上記特許文献３に記載されるようなマークシート式のスコアカードは、全てのスコア記入欄について各位の桁それぞれに対応する［０］〜［９］のマークボックスが印刷されている。そのため、このスコアカードも従来のものに比べて必要以上に大きくなり、扱い難くなるという問題がある。更に、全ての打数がマークボックスにマークを記入することにより記録されるので、後でスコアカードの記録内容を目で確認し難く、また記入ミスをし易くなる虞がある。
【００１３】
また、上記特許文献４に記載のシステムでは、スコアカードの各ホールのスコア欄及びハンディキャップの欄が２桁に区切られ、その中に筆記具で書き込まれた２桁又は１桁の数値を全部ＯＣＲで読み取るので、読み取りエラーを生じる可能性が高くなる。また、読み取られたデータは、単にサーバに転送してスコアを集計するだけで、ハンディキャップを自動計算するように構成されていないので、別にハンディキャップの計算処理を行う必要がある。
【００１４】
また、ホール毎に専用のクライアント装置からスコアを入力して、ＩＤスコアカードのような専用の磁気カードに電磁的に記録しかつ数値を印字する上記特許文献５に記載のシステムは、各ホールのスコア入力作業が面倒で、プレーヤに余計な負担を強いることになる。しかも、このようなクライアント装置は比較的高価で、各ホールに設置し、ＬＡＮで相互にかつサーバ装置と接続するから、多大な設備及び保守費用を必要とする。
【００１５】
更に、上述したように従来のゴルフデータ管理システムは、いずれも単にスコアカードに記録した競技データを端末装置から入力して集計し、電子的にデータベース化し、サーバ装置に格納して管理し、必要に応じてサーバ装置から提供するというものである。スコアカードからの迅速かつ正確な競技データの入力と競技データの計算処理とを組み合わせて、複雑なハンディキャップの計算を自動処理できるようにしたシステムは未だ提案されていない。
【００１６】
そこで本発明は、上述した従来の問題点に鑑みてなされたものであり、その目的は、従来と同様に筆記具での書き込みにより、プレーヤに余計な負担を強いることなく競技データを簡単に記録でき、かつ、ゴルフ場における処理作業の負担を大幅に軽減するべく、迅速で正確な入力処理を可能にするゴルフ用スコアカードを提供することにある。
【００１７】
また、本発明の別の目的は、比較的簡単で安価な構成により、スコアカードに記録した競技データを単に集計するだけでなく、複雑なハンディキャップの計算まで一括して自動的に処理することができ、更に好ましくはそれらのデータを一元的に管理することができるゴルフスコア管理システムを提供することにある。
【課題を解決するための手段】
【００１８】
本発明によれば、上記目的を達成するために、ホール毎にプレーヤのホールスコアを記録するためのホールスコア記入欄を有し、ホールスコア記入欄が、ＯＭＲで読み取られる縦に太い実線を記入して１０位の数値を記録するための左側領域、及びＯＣＲで読み取られる１位の数値を記入するための右側領域を有し、左側領域と右側領域とを隣接して配置したゴルフ用スコアカードが提供される。
【００１９】
ホールスコアは、ゴルフのルール上、１０位の数を最大１とする最大２桁の数である。従って、１０位の数値即ち「１」を表すＯＭＲマークを記入する左側領域と１位の数値を表す数字を書き込む右側領域とを組み合わせることによって、ホールスコア記入欄に記録されたホールスコアをＯＭＲとＯＣＲとで光学的に読み取ることができ、迅速かつ正確なスコア入力処理が可能である。しかも、左側領域にＯＭＲマークとして縦に太い実線を書き込む作業は、該ＯＭＲマークが表す数字「１」を書き込むことに非常に近いことから、違和感なく行うことができので、競技中のプレーヤに何ら余計な負担を与えない。また、記入後は、視覚的に数字「１」が記入されているのと同様に認識できるから、従来のスコアカードと同様に、各ホールスコア記入欄に記録されたスコアを目で違和感なく容易に確認することができる。その結果、プレーヤに余計な負担を強いることなく、競技データの入力処理作業の負担を大幅に軽減することができる。
【００２０】
或る実施例では、ゴルフ用スコアカードが、プレーヤの１ラウンドのグロススコアを記録するためのグロススコア記入欄を更に有し、グロススコア記入欄が、ＯＭＲで読み取られる縦に太い実線を記入して１００位の数値を記録するための左側領域、ＯＣＲで読み取られる１０位の数値を記入するための中央領域、及びＯＣＲで読み取られる１位の数値を記入するための右側領域からなり、グロススコア記入欄の左側領域と中央領域と右側領域とが隣接して配置されている。
【００２１】
別の実施例では、ゴルフ用スコアカードが更に、プレーヤのハンディキャップを記録するためのハンディキャップ記入欄とグロススコアからハンディキャップを差し引いたネットスコアを記入するためのネットスコア記入欄とを有し、ハンディキャップ記入欄が、ＯＣＲで読み取られる１０位の数値を記入するための左側領域、ＯＣＲで読み取られる１位の数値を記入するための中央領域、及び小数点以下１位の数値を記入するための右側領域からなり、かつハンディキャップ記入欄の左側領域と中央領域と右側領域とが隣接して配置され、ネットスコア記入欄が、ＯＭＲで読み取られる縦に太い実線を記入して１００位の数値を記録するための左端領域、ＯＣＲで読み取られる１０位の数値を記入するための中央左側領域、ＯＣＲで読み取られる１位の数値を記入するための中央右側領域、及び小数点以下１位の数値を記入するための右端領域からなり、かつネットスコア記入欄の左端領域と中央左側領域と中央右側領域と右端領域とが隣接して配置されている。
【００２２】
本発明の別の側面によれば、上述した本発明のゴルフ用スコアカードから競技データを読み取るための光学式読取手段と、読み取った競技データを表示しかつ修正入力して送信するためのスコア入力処理手段と、スコア入力処理手段から送信された競技データを処理するための演算処理手段と、競技データ及び演算処理手段による処理結果を記憶するための記憶手段とを備え、演算処理手段が、スコアカードから読み取った競技データと記憶手段に格納されている過去の競技データとを用いてハンディキャップを計算する機能を有するゴルフスコア管理システムが提供される。
【００２３】
これにより、スコアカードに記録した競技データの単なる集計に限定することなく、複雑なハンディキャップの計算まで一括して自動的に処理することができるゴルフスコア管理システムを比較的簡単かつ安価に構成することができる。
【００２４】
或る実施例では、スコア入力処理手段と演算処理手段とがネットワークを介して接続されており、それによって競技データを一元的に管理することができる。
【００２５】
別の実施例では、それぞれに光学式読取手段及びスコア入力処理手段を有する複数のゴルフ場端末装置と、演算処理手段及び記憶手段を有しかつインターネットなどのネットワークを介して複数のゴルフ場端末装置に接続された管理者サーバ装置とを備えることによって、プレーヤが異なるゴルフ場で競技した場合でも、その結果をハンディキャップに迅速にかつ正確に反映させると共に、一元的に管理することができる。また、複雑なハンディキャップの計算処理が管理者サーバ装置に委ねられるので、個々のゴルフ場端末装置の構成及びメンテナンスをより簡単にかつ安価にすることができる。
【発明を実施するための最良の形態】
【００２６】
以下に、本発明の好適実施例について添付図面を参照しつつ詳細に説明する。
図１は、本発明によるゴルフスコア管理システムの第１実施例の構成を概略的に示している。本実施例のゴルフスコア管理システム１は、スコアカード２に記録されたプレーヤのスコア、ハンディキャップ、競技日などの競技データを光学的に読み取るための光学式読取手段３と、該光学式読取手段により読み取られた競技データを表示し、必要に応じて修正入力し、かつ確認した後に送信するためのスコア入力処理手段４と、該スコア入力処理手段から競技データを受信して処理するための演算処理手段５と、競技データ及びその処理結果を表示するためのディスプレイ及び／又はプリンタなどからなる出力手段６と、それらのデータを記憶するための記憶手段７とを備える。光学式読取手段３はスコア入力処理手段４に接続され、スコア入力処理手段４は、出力手段６及び記憶手段７に接続した演算処理手段５に接続されている。
【００２７】
図２及び図３は、それぞれ本発明によるゴルフ用スコアカードの実施例を示している。図２のスコアカード２は、プレーヤ個人の競技データを記録するためのものであり、図３のスコアカード２´は、競技会などで同じ組の同伴プレーヤ全員の競技データを記録するためのものである。いずれのスコアカードも、従来のスコアカードと同様に、必要な事項を鉛筆で書き込むように長方形の紙に印刷して作成されている。
【００２８】
スコアカード２には、競技データの記録欄として、ホール毎にプレーヤのスコアを記録するためのホールスコア記入欄８と、その前後半それぞれのハーフラウンドのスコアを記録するためのハーフスコア記入欄９，１０と、それらの合計値即ち１ラウンドのグロススコアを記録するためのグロススコア記入欄１１と、プレーヤのハンディキャップを記録するためのハンディキャップ記入欄１２と、グロススコアからハンディキャップを差し引いたネットスコアを記録するためのネットスコア記入欄１３とが横一列に設けられている。更にスコアカード２には、これら記入欄８〜１１の直ぐ上に各ホール毎、ハーフ及びグロスラウンドの基準スコア（パー）が表示され、かつプレーヤの氏名や登録された識別番号、競技日、ティーの位置などを記入する欄が設けられている。
【００２９】
ホールスコア記入欄８には、ゴルフのルール上、１０位の数値を最大１とする最大２桁の数値が記録される。ホールスコア記入欄８は、１０位の数値を記録するための左側の領域８ａと、１位の数値を記録するための右側の領域８ｂとに分割されている。左側の領域８ａは、縦に細長い長方形の枠からなるＯＭＲマーク位置指示部である。これを鉛筆などの筆記具で黒く塗りつぶして、ＯＭＲマークとして縦に太い実線を記入することによってホールスコアが１０台であることを記録し、ＯＭＲでマークの有無を判定することができる。右側の領域８ｂは、１桁の数字をそのまま鉛筆などの筆記具で書き込むための四角い枠であり、ＯＣＲで読み取ることができる。
【００３０】
或るホールのスコアが１桁、例えば３の場合には、図４（Ａ）に示すように、数字「３」をそのままホールスコア記入欄８の右側の領域８ｂに書き込む。また、或るホールのスコアが２桁、例えば１３の場合には、図４（Ｂ）に示すように、ホールスコア記入欄８の左側の領域８ａを黒く塗りつぶし、かつ該スコアの１位の数字「３」をそのまま右側の領域８ｂに記入する。
【００３１】
上述したように、１０位の数値を記録する左側の領域８ａは、縦に細長い長方形の枠で構成されかつ１位の数字を書き込む右側の領域８ｂに隣接して配置されているから、領域８ａを塗りつぶすことは、数字「１」を書き込むことに非常に近く、違和感なく行うことができる。また、視覚的にも、数字「１」が記入されているのと同様に認識できるから、従来のスコアカードと同様に、各ホールスコア記入欄８に記録されたスコアを目で違和感なく容易に確認することができる。
【００３２】
ハーフスコア記入欄９，１０には、最大２桁の数値が記録される。ハーフスコア記入欄９，１０は、それぞれ１０位の数値を記録するための左側の領域９ａ，１０ａと、１位の数値を記録するための右側の領域９ｂ，１０ｂとに分割されている。左右両方の各領域９ａ，９ｂ，１０ａ，１０ｂは、それぞれ１桁の数字をそのまま鉛筆などの筆記具で書き込むための四角い枠であり、ＯＣＲで読み取ることができる。従って、ハーフスコア記入欄９，１０には、それぞれ前後半の各ハーフラウンドのスコアを表す数値をそのまま記入する。
【００３３】
グロススコア記入欄１１には、ゴルフのルール上、１００位の数値を最大１とする最大３桁の数値が記録される。グロススコア記入欄１１は、１００位の数値を記録するための左側の領域１１ａと、１０位の数値を記録するための中央の領域１１ｂと、１位の数値を記録するための右側の領域１１ｃとに分割されている。左側の領域１１ａは、縦に細長い長方形の枠からなるＯＭＲマーク位置指示部である。これを鉛筆などの筆記具で黒く塗りつぶして、ＯＭＲマークとして縦に太い実線を記入することによってグロススコアが１００台であることを記録し、ＯＭＲでマークの有無を判定することができる。中央及び右側の領域１１ｂ，１１ｃは、それぞれ１桁の数字をそのまま鉛筆などの筆記具で書き込むための四角い枠であり、ＯＣＲで読み取ることができる。
【００３４】
ハンディキャップ記入欄１２には、最大小数点以上２桁で小数点以下１桁の数値が記録される。ハンディキャップ記入欄１２は、１０位の数値を記録するための左側の領域１２ａと、１位の数値を記録するための中央の領域１２ｂと、その右側に予め印刷された小数点を挟んで、小数点以下１位の数値を記録するための右側の領域１２ｃとに分割されている。ハンディキャップ記入欄１２の各領域１２ａ〜１２ｃは、それぞれ１桁の数字を鉛筆などの筆記具で書き込むための四角い枠であり、ＯＣＲで読み取ることができる。ハンディキャップ記入欄１２には、競技開始時点で予め決められているプレーヤのハンディキャップを表す数値をそのまま記入する。
【００３５】
ネットスコア記入欄１３には、最大小数点以上３桁で小数点以下１桁の数値が記入される。ネットスコア記入欄１３は、１００位の数値を記入するための左端の領域１３ａと、１０位の数値を記入するための中央左側の領域１３ｂと、１位の数値を記入するための中央右側の領域１３ｃと、その右側に予め印刷された小数点を挟んで、小数点以下１位の数値を記入するための右端の領域１３ｄとに分割されている。左端の領域１３ａは、縦に細長い枠からなるＯＭＲマーク位置指示部である。これを鉛筆などの筆記具で黒く塗りつぶして、ＯＭＲマークとして縦に太い実線を記入することによってネットスコアが１００台であることを記録し、ＯＭＲでマークの有無を判定することができる。それ以外の領域１３ｂ〜１３ｄは、それぞれ１桁の数字を鉛筆などの筆記具で書き込むための四角い枠であり、ＯＣＲで読み取ることができる。
【００３６】
グロススコア記入欄１１及びネットスコア記入欄１３も、ホールスコア記入欄８の場合と同様に、１００位の数値を記入する左側の領域１１ａ，１３ａは、縦に細長い長方形の枠で構成され、かつ１０位の数字を書き込む右側の領域１１ｂ，１３ｂに隣接して配置されているから、領域１１ａ，１３ａを塗りつぶす行為は、数字「１」を書き込むことに非常に近く、違和感なく行うことができる。また、視覚的にも、数字「１」が記入されているのと同様の効果が得られるので、従来のスコアカードと同様に、グロススコア記入欄１１及びネットスコア記入欄１３に記載されたスコアを目で違和感なく容易に確認することができる。
【００３７】
また、一般に図２に示すような個人用のスコアカードでは、プレーヤのスコアを確認するマーカー自身のスコア、ハンディキャップなどの競技データを記録するための欄に加えて、プレーヤ及びマーカーがそれぞれ署名するための欄を設ける。本実施例のスコアカード２も、図示していないが、マーカーの競技データ記録欄とプレーヤ及びマーカーの署名欄とが同様に設けられている。このマーカーの競技データ記録欄も、図２に関連して上述したプレーヤのものと同様に構成される。
【００３８】
図３のスコアカード２´には、同じ組で競技する４人の同伴プレーヤ全員の競技データ記録欄１４が設けられている。図２のスコアカード２と同様に、各競技データ記録欄１４は、ホール毎にプレーヤのスコアを記入するためのホールスコア記入欄１８と、その前後半のハーフラウンドのスコアを記入するためのハーフスコア記入欄１９，２０と、それらの合計値即ち１ラウンドのグロススコアを記入するためのグロススコア記入欄２１と、プレーヤのハンディキャップを記入するためのハンディキャップ記入欄２２と、グロススコアからハンディキャップを差し引いたネットスコアを記入するためのネットスコア記入欄２３とがそれぞれ横一列に配置されている。
【００３９】
ホールスコア記入欄１８は、１０位の数値を記録するための左側の領域１８ａと、１位の数値を記録するための右側の領域１８ｂとに分割されている。左側の領域１８ａは、縦に細長い長方形の枠からなるＯＭＲマーク位置指示部であり、これを鉛筆などの筆記具で黒く塗りつぶして、ＯＭＲマークとして縦に太い実線を記入することによりホールスコアが１０台であることを記録する。右側の領域１８ｂは、１桁の数字をそのまま鉛筆などの筆記具で書き込むための四角い枠で、ＯＣＲで読み取ることができる。
【００４０】
グロススコア記入欄２１は、１００位の数値を記録するための左側の領域２１ａと、１０位の数値を記録するための中央の領域２１ｂと、１位の数値を記録するための右側の領域２１ｃとに分割されている。左側の領域２１ａは、縦に細長い長方形の枠からなるＯＭＲマーク位置指示部であり、これを鉛筆などの筆記具で黒く塗りつぶして、ＯＭＲマークとして縦に太い実線を記入することによりグロススコアが１００台であることを記録する。中央及び右側の領域２１ｂ，２１ｃは、それぞれ１桁の数字をそのまま鉛筆などの筆記具で書き込むための四角い枠で、ＯＣＲで読み取ることができる。
【００４１】
ネットスコア記入欄２３は、１００位の数値を記入するための左端の領域２３ａと、１０位の数値を記入するための左から２番目の領域２３ｂと、１位の数値を記入するための中央の領域２３ｃと、その右側に予め印刷された小数点を挟んで、小数点以下１位の数値を記入するための右端の領域２３ｄとに分割されている。左端の領域２３ａは、縦に細長い枠からなるＯＭＲマーク位置指示部であり、これを鉛筆などの筆記具で黒く塗りつぶして、ＯＭＲマークとして縦に太い実線を記入することによりネットスコアが１００台であることを記録する。それ以外の領域２３ｂ〜２３ｄは、それぞれ１桁の数字を鉛筆などの筆記具で書き込むための四角い枠で、ＯＣＲで読み取ることができる。
【００４２】
ハーフスコア記入欄１９，２０は、それぞれ１０位の数値を記録するための左側の領域１９ａ，２０ａと、１位の数値を記録するための右側の領域１９ｂ，２０ｂとに分割されている。これら各領域はそれぞれ１桁の数字をそのまま鉛筆などの筆記具で書き込むための四角い枠で、前後半各ハーフラウンドのスコアを表す数値をそのまま記入し、ＯＣＲで読み取ることができる。
【００４３】
ハンディキャップ記入欄２２は、１０位の数値を記録するための左側の領域２２ａと、１位の数値を記録するための中央の領域２２ｂと、その右側に予め印刷された小数点を挟んで、小数点以下１位の数値を記録するための右側の領域２２ｃとに分割されている。これら各領域２２ａ〜２２ｃは、それぞれ１桁の数字を鉛筆などの筆記具で書き込むための四角い枠で、競技開始時点で予め決められているプレーヤのハンディキャップを表す数値をそのまま記入し、ＯＣＲで読み取ることができる。
【００４４】
以下に、図１のゴルフスコア管理システム１及び図２のスコアカード２を用いて、プレーヤの競技データを処理する過程を説明する。先ず、スコアカード２には、競技開始前にプレーヤの氏名、確認番号、競技日、ティーの位置、ハンディキャップなどを所定の欄に記入し、競技開始後は、ホール毎にそのスコアをホールスコア記入欄８に記録し、前後半のハーフラウンド毎にそのスコアをハーフスコア記入欄９，１０に記録し、最後に１ラウンドのスコアをグロススコア記入欄１１に、更にグロススコアからハンディキャップを差し引いたネットスコアをネットスコア記入欄１３に記録する。
【００４５】
競技終了後、このスコアカード２に記録された競技データを光学式読取手段３で読み取る。読み取られた競技データは、スコア入力処理手段４に出力されて、そのディスプレイに一旦表示され、それにより、演算処理手段５に転送する前に、その内容を確認することができる。ハンディキャップは、以前に記憶手段７に格納されている場合には、そのデータと読み取った数値とを照合する。また、スコア入力処理手段４は、内部で各ホールスコアを加算する計算処理を行い、その計算結果とスコアカード２から読み取ったグロススコア、ネットスコア、ハーフラウンドのスコアとを照合する。スコアカードからの読み取り値との照合結果が一致しない場合には、その事実を例えばディスプレイ上に表示し又は警告音を発生して知らせる。
【００４６】
スコアカードへの記録又はスコアカードからの読み取りに誤りがある場合には、スコア入力処理手段４のディスプレイ上で必要な修正を入力する。競技データが正しく読み取られ又は正しく修正された場合には、スコア入力処理手段４のディスプレイ上から承認を入力する。別の実施例では、スコア入力処理手段４がその計算結果に従って自動的に修正を加え、その修正結果をディスプレイ上で確認して承認することもできる。承認された競技データは、演算処理手段５に送信される。演算処理手段５は、受け取った承認済みの競技データを記憶装置７に格納すると共に、必要に応じて出力手段６から印刷しかつ／又はディスプレイに表示するなどして出力する。
【００４７】
このように手書きで記録したスコアカード２を光学式読取手段３で読み取ることにより、競技終了後直ちに競技データをゴルフスコア管理システム１に入力できるので、多数のスコアカードを短時間でかつ正確に入力処理することができる。光学式読取手段３での入力処理作業は、ゴルフ場の担当者だけでなく、プレーヤ又はマーカー自身でも簡単に行うことできる。従って、従来のようにゴルフ場に提出された多数のスコアカードから個々の競技データを手作業で入力する必要がなく、入力処理作業を大幅に省力化することができる。また、競技会などでは、競技者全員のデータを迅速にかつ正確に集計し、順位などの競技結果を出力することができる。
【００４８】
更に、演算処理手段５は、ハンディキャップを更新するための計算処理を次のように行う。先ず、ＪＧＡのハンディキャップ規定に従って、プレーヤのハンディキャップに応じて１ホールのスコアの上限を定めてスコアを調整するストロークコントロールの計算処理を行う。ストロークコントロールによりオーバーパーのホールのスコアをハンディキャップのレベルに応じて一定のスコアまで切り下げ、ハンディキャップ算出用に調整する。次に、同じくＪＧＡのハンディキャップ規定に従って、ストロークコントロールにより調整したスコアからコースレートを差し引いたディファレンシャルの計算処理を行う。コースレートは、スコアカード２から読み取ったティー位置に基づいて、記憶装置７に予め格納されているデータから取り出して使用する。ストロークコントロール後のスコア及びディファレンシャルは記憶装置７に格納する。
【００４９】
次に、記憶装置７に格納されているスコアデータの中から、競技日が過去２年以内で最新の１０件のスコアデータを選択して取り出す。更に、取り出した１０件のスコアデータの中から、最も低い数値の５件のディファレンシャルを選択し、その平均値を算出する。この平均値に規定の係数「０．９６」を乗じ、小数点以下第２位を四捨五入した小数点以下第１位までの数値を新たなハンディキャップとする。こうして算出されたハンディキャップは、記憶装置７に格納すると共に、必要に応じて出力手段６から印刷しかつ／又はディスプレイに表示するなどして出力する。
【００５０】
このように本発明によれば、上述したように競技データが、プレーヤ又はゴルフ場のいずれにも余分な負担をかけることなく、競技終了直後に迅速に入力処理されることに加えて、それが高速で計算処理されてハンディキャップが更新される。従って、プレーヤは競技終了後直ちに新たなハンディキャップを知ることができる。また、記憶装置７に格納されたハンディキャップ、競技データなどは、演算処理手段５やスコア入力処理手段４、又はそれらに直接もしくはネットワークを介して接続された別個の装置を用いて適宜取り出すことができる。
【００５１】
或る実施例では、スコア入力処理手段４と演算処理手段５と記憶手段７とを１台のパソコンで構成し、これに光学式読取手段３及び出力手段６を外部装置として接続することができる。別の実施例では、演算処理手段５と記憶手段７とを１台のサーバ装置で構成し、これにスコア入力処理手段４を別個の端末装置としてＬＡＮなどのネットワークを介して接続することができる。
【００５２】
また、上記実施例では、演算処理手段５がストロークコントロールの計算処理、ディファレンシャルの計算処理及びハンディキャップの計算処理を行い、１台の装置で構成されている。別の実施例では、ストロークコントロール及びディファレンシャルの計算処理とハンディキャップの計算処理とを別個の装置に分割して行うことができる。その場合、スコア入力処理手段４を構成する端末装置にストロークコントロール及びディファレンシャルの計算処理機能を持たせ、サーバ装置にハンディキャップの計算処理機能を持たせることが好ましい。
【００５３】
図５は、本発明によるゴルフスコア管理システムの第２実施例の構成を概略的に示している。本実施例のゴルフスコア管理システム３１は、複数のゴルフ場端末装置３２と、適当な通信手段（図示しない）によりインターネット３３などのネットワークを介して接続された管理者サーバ装置３４とから構成される。
【００５４】
各ゴルフ場端末装置３２は、光学式読取手段３５とスコア入力処理手段３６と記憶手段３７とを有する。光学式読取手段３５は、第１実施例のゴルフスコア管理システム１の光学式読取手段３と同様に、スコアカード２，２´に記録された競技データを読み取る。スコア入力処理手段３６は、第１実施例のスコア入力処理手段４と同様の入力処理機能に加えて、ストロークコントロール及びディファレンシャルの計算処理機能を備える。記憶手段３７は、その端末装置３２が設置されているゴルフ場のコースレートや該ゴルフ場で競技するプレーヤの情報、競技データなどを格納している。
【００５５】
管理者サーバ装置３４は演算処理手段３８と記憶手段３９とを有する。演算処理手段３８は、第１実施例の演算処理手段５と同様のハンディキャップの計算処理機能を備える。記憶手段３９は、プレーヤのハンディキャップ、及びハンディキャップの算出に必要な競技データを格納している。
【００５６】
プレーヤが本実施例のゴルフスコア管理システム３１に参加しているゴルフ場で競技をした後、上述したようにスコアカード２に記録された競技データは、ゴルフ場端末装置３２の光学式読取手段３５により読み取られ、スコア入力処理手段３６に出力される。スコア入力処理手段３６は、第１実施例のスコア入力処理手段４と同様に、読み取った競技データをディスプレイに表示する。更にスコア入力処理手段３６は、読み取ったハンディキャップを記憶手段３７又は３９に記憶されているデータと照合し、また内部でホールスコアを加算する計算処理を行い、その計算結果と読み取ったグロススコア、ネットスコア、ハーフラウンドのスコアとを照合する。
【００５７】
このようにして読み取りかつ必要な修正を加えた競技データは、スコア入力処理手段３６において承認された後、記憶手段３７に格納される。更にスコア入力処理手段３６は、承認済みの競技データについて、第１実施例の演算処理手段５と同様の過程に従って、ストロークコントロールの計算処理及びディファレンシャルの計算処理を行う。ディファレンシャルの計算処理に必要なコースレートは、記憶装置３７に予め格納されており、スコアカード２から読み取ったティー位置に基づいて該記憶装置から取り出す。ストロークコントロールにより調整したスコア及び算出したディファレンシャルは、同様に記憶手段３７に格納される。
【００５８】
また、スコア入力処理手段３６は、承認済みの競技データ、ストロークコントロール後のスコア及びディファレンシャルを、インターネット３３を介して管理者サーバ装置３４に転送する。管理者サーバ装置３４は、その演算処理手段３８がゴルフ場端末装置３２から受け取ったデータを記憶手段３９に格納すると共に、ハンディキャップの計算処理を行う。ハンディキャップの計算処理は、ゴルフ場端末装置３２から受け取った最新のデータと、先に記憶手段３７に格納されている過去のデータとを用いて、第１実施例の演算処理手段５と同様の過程に従って行う。
【００５９】
本実施例のゴルフスコア管理システム３１は、第１実施例のゴルフスコア管理システム１と同様に、各ゴルフ場端末装置３２において、スコアカードに記録された競技データを光学的に読み取って入力するので、プレーヤ又はゴルフ場のいずれにも余分な負担をかけることなく、競技終了直後に迅速に入力処理することができる。更に本実施例では、管理者サーバ装置３４が、複数のゴルフ場端末装置３２から転送される多数のデータを一括して処理し、ハンディキャップを計算すると共に、その結果を自己の記憶手段３９に格納して一元的に管理する。そのため、プレーヤが異なるゴルフ場で競技した場合でも、その結果をハンディキャップに迅速にかつ正確に反映させることができる。また、複雑なハンディキャップの計算処理が管理者サーバ装置３４に委ねられるので、ゴルフ場端末装置３２をより簡単に安価に構成することができる。
【００６０】
また、別の実施例では、各ゴルフ場端末装置３２のスコア入力処理手段３６におけるストロークコントロール及びディファレンシャルの計算処理機能を、管理者サーバ装置３４の演算処理手段３８に持たせることができる。この場合、スコア入力処理手段３６は、承認された競技データを管理者サーバ装置３４に転送し、該管理者サーバ装置からその計算結果を受け取って記憶手段３５に格納し、必要に応じて図示しないディスプレイに表示しかつ／又はプリンタで印刷するだけである。
【００６１】
以上、本発明の好適な実施例について詳細に説明したが、本発明は、上記実施例に様々な変形・変更を加えて実施することができる。例えば、ＯＭＲマーク位置指示部は、添付図面に示すような枠に代えて、縦に細長い長方形の領域を示すようにその上下両端に括弧のマークを表示して、その括弧内に縦に太い黒の実線を書くようにしたり、該領域の中心位置に縦に細い実線又は破線を表示して、その上をなぞるように縦に太い黒の実線を書くようにすることができる。また、第２実施例のゴルフスコア管理システム３１において、インターネット以外にイントラネットなどの様々なネットワークを介して各ゴルフ場端末装置と管理者サーバ装置とを接続することができる。
【図面の簡単な説明】
【００６２】
【図１】本発明によるゴルフスコア管理システムの第１実施例を示すブロック図。
【図２】本発明によるゴルフ用スコアカードの実施例を示す図。
【図３】本発明によるゴルフ用スコアカードの別の実施例を示す図。
【図４】（Ａ），（Ｂ）図はそれぞれホールスコアの記入例を示す図。
【図５】本発明によるゴルフスコア管理システムの第２実施例を示すブロック図。
【符号の説明】
【００６３】
１，３１…ゴルフスコア管理システム、２，２´…スコアカード、３，３５…光学式読取手段、４，３６…スコア入力処理手段、５，３８…演算処理手段、６…出力手段、７，３７，３９…記憶手段、８，１８…ホールスコア記入欄、８ａ〜１３ａ，８ｂ〜１３ｂ，１１ｃ〜１３ｃ，１３ｄ，１８ａ〜２３ａ，１８ｂ〜２３ｂ，２１ｃ〜２３ｃ，２３ｄ…領域、９，１０，１９，２０…ハーフスコア記入欄、１１，２１…グロススコア記入欄、１２，２２…ハンディキャップ記入欄、１３，２３…ネットスコア記入欄、１４…競技データ記録欄、３２…ゴルフ場端末装置、３３…インターネット、３４…管理者サーバ装置。
【図１】
2007097681.tif 000003
【図２】
2007097681.tif 000004
【図３】
2007097681.tif 000005
【図４】
2007097681.tif 000006
【図５】
2007097681.tif 000007